(57)【特許請求の範囲】
【請求項１】
本体フレームと、
前記本体フレーム内の搬送路に沿って記録媒体を搬送する搬送手段と、
トナー像の形成を受けて該トナー像を保持し、該トナー像を、前記記録媒体が通過する転写位置に搬送する像保持体と、
前記転写位置において前記像保持体に対向し該転写位置を通過中の記録媒体を該像保持体との間に挟んで該像保持体上のトナー像を該記録媒体に転写する、該記録媒体の通過方向に交わる幅方向に延びる回転軸を有するとともに、該回転軸と同軸上の、該記録媒体の通過領域から外れた位置に被位置決め部を有する転写ロールを含む転写組立体と、
前記本体フレームに支持され、前記被位置決め部の押し当てを受けて前記転写ロールを位置決めする位置決め部材と、
前記転写位置よりも前記記録媒体の搬送方向下流側に配置され、該転写位置においてトナー像の転写を受けた記録媒体上に該トナー像を定着する定着器と、
ベース板を有し、該ベース板の内側において前記転写ロールが該ベース板に沿って延びる向きに前記転写組立体を支持し、前記転写ロールの回転軸と平行に延びる回転中心線の回りに回転することにより前記本体フレームに対し開閉する扉とを有し、
前記扉がさらに、前記ベース板に固定され該ベース板の内面との間に間隔を空けて前記回転中心線と平行に延びる支持軸と、前記転写組立体を前記ベース板から離れる方向に付勢する付勢部材とを有し、
前記転写組立体が、該転写ロールの回転軸の延長線を遮る向きに広がり、前記支持軸が遊びをもって挿通された穴を有する側壁が形成された、前記転写ロールを支持する支持部材を有し、前記ベース板に対しガタを持って前記扉に支持されるとともに前記付勢部材により付勢されたものであって、
前記穴が、前記扉が開状態から閉状態に向かって回転してきて前記被位置決め部が前記位置決め部材に接触した当初において、該扉の回転中心線を中心として描いた前記支持軸を通る円弧に交わる半径方向について、該支持軸の両側に、該支持軸と該穴の壁面との間に隙間を有する形状の穴であることを特徴とする画像形成装置。
【請求項２】
前記穴が、前記扉の開方向に向かって該扉の回転中心線から離れる向きに長径方向が向かう長穴であることを特徴とする請求項１記載の画像形成装置。
【請求項３】
前記位置決め部材よりも前記扉の回転中心線に近づいた位置に配置されて前記本体フレームに固定され、該扉が開状態から閉状態に向かって回転してきたときに前記支持部材の当たりを受ける受け部材を有し、
前記扉が、該扉が開状態から閉状態に向かって回転してきて前記支持部材が前記受け部材に当たり、かつ前記被位置決め部が前記位置決め部材に接触した後、前記支持部材を押すことにより、該支持部材の、該受け部材に当たった部分を支点として該被位置決め部を該位置決め部材に押し当てる押当部材を有することを特徴とする請求項１又は２記載の画像形成装置。
【請求項４】
トナー像の形成を受けて該トナー像を保持し該トナー像を記録媒体が通過する転写位置に搬送する像保持体に対向し、該転写位置を通過中の記録媒体を該像保持体との間に挟んで該像保持体上のトナー像を該記録媒体に転写する、該記録媒体の通過方向に交わる幅方向に延びる回転軸を有するとともに、該回転軸と同軸上の、該記録媒体の通過領域から外れた位置に被位置決め部を有する転写ロールを含む転写組立体と、
本体フレームに支持され、前記被位置決め部の押し当てを受けて前記転写ロールを位置決めする位置決め部材と、
ベース板を有し、該ベース板の内側において前記転写ロールが該ベース板に沿って延びる向きに前記転写組立体を支持し、前記転写ロールの回転軸と平行に延びる回転中心線の回りに回転することにより前記本体フレームに対し開閉する扉とを有し、
前記扉がさらに、前記ベース板に固定され前記ベース板の内面との間に間隔を空けて前記回転中心線と平行に延びる支持軸と、前記転写組立体を前記ベース板から離れる方向に付勢する付勢部材とを有し、
前記転写組立体が、前記転写ロールを支持するとともに、該転写ロールの回転軸の延長線を遮る向きに広がり、前記支持軸が遊びをもって挿通された穴を有する側壁が形成された支持部材を有し、前記ベース板に対しガタを持って前記扉に支持されるとともに前記付勢部材により付勢されたものであって、
前記穴が、前記扉が開状態から閉状態に向かって回転してきて前記被位置決め部が前記位置決め部材に接触した当初において、該扉の回転中心線を中心として描いた前記支持軸を通る円弧に交わる半径方向について、該支持軸の両側に、該支持軸と該穴の壁面との間に隙間を有する形状の穴であることを特徴とする転写装置。
【請求項５】
前記穴が、該扉の開方向に向かって該扉の回転中心線から離れる向きに長径方向が向かう長穴であることを特徴とする請求項４記載の転写装置。
【請求項６】
前記位置決め部材よりも前記扉の回転中心線に近づいた位置に配置されて前記本体フレームに固定され、該扉が開状態から閉状態に向かって回転してきたときに前記支持部材の当たりを受ける受け部材を有し、
前記扉が、該扉が開状態から閉状態に向かって回転してきて前記支持部材が前記受け部材に当たり、かつ前記被位置決め部が前記位置決め部材に接触した後、前記支持部材を押すことにより、該支持部材の、該受け部材に当たった部分を支点として該被位置決め部を該位置決め部材に押し当てる押当部材を有することを特徴とする請求項４又は５記載の転写装置。
【発明の詳細な説明】
【技術分野】
【０００１】
本発明は、画像形成装置および転写装置に関する。
【背景技術】
【０００２】
転写ローラを支持した扉を閉じることで、トナー像を保持する像保持体に転写ローラを押圧してそれらの間を通過する記録媒体上にトナー像を転写するように構成された画像形成装置が提案されている（特許文献１〜３）。
【０００３】
これらのうち、特許文献２，３には、扉を閉じる際に必要となる操作力を低減させる構成が提案されている。
【先行技術文献】
【特許文献】
【０００４】
【特許文献１】特開２０００−３３０３５２号公報
【特許文献２】特開２０１１−１０２８６０号公報
【特許文献３】特開２０１１−１０２８６１号公報
【発明の概要】
【発明が解決しようとする課題】
【０００５】
本発明は、転写ローラを支持した扉の開閉に関し、円滑な操作力を得て操作感を向上させた画像形成装置および転写装置を提供することを目的とする。
【課題を解決するための手段】
【０００６】
請求項１は、
本体フレームと、
本体フレーム内の搬送路に沿って記録媒体を搬送する搬送手段と、
トナー像の形成を受けてトナー像を保持し、トナー像を、記録媒体が通過する転写位置に搬送する像保持体と、
転写位置において像保持体に対向し転写位置を通過中の記録媒体を像保持体との間に挟んで像保持体上のトナー像を記録媒体に転写する、記録媒体の通過方向に交わる幅方向に延びる回転軸を有するとともに、その回転軸と同軸上の、記録媒体の通過領域から外れた位置に被位置決め部を有する転写ロールを含む転写組立体と、
本体フレームに支持され、上記被位置決め部の押し当てを受けて転写ロールを位置決めする位置決め部材と、
転写位置よりも記録媒体の搬送方向下流側に配置され、転写位置においてトナー像の転写を受けた記録媒体上にそのトナー像を定着する定着器と、
ベース板を有し、そのベース板の内側において転写ロールがベース板に沿って延びる向きに転写組立体を支持し、転写ロールの回転軸と平行に延びる回転中心線の回りに回転することにより本体フレームに対し開閉する扉とを有し、
上記扉がさらに、上記ベース板に固定されそのベース板の内面との間に間隔を空けて上記回転中心線と平行に延びる支持軸と、転写組立体をベース板から離れる方向に付勢する付勢部材とを有し、
転写組立体が、転写ロールの回転軸の延長線を遮る向きに広がり、上記支持軸が遊びをもって挿通された穴を有する側壁が形成された、転写ロールを支持する支持部材を有し、上記ベース板に対しガタを持って扉に支持されるとともに上記付勢部材により付勢されたものであって、
上記穴が、扉が開状態から閉状態に向かって回転してきて被位置決め部が位置決め部材に接触した当初において、扉の回転中心線を中心として描いた支持軸を通る円弧に交わる半径方向について、支持軸の両側に、支持軸と穴の壁面との間に隙間を有する形状の穴であることを特徴とする画像形成装置である。
【０００７】
請求項２は、請求項１の画像形成装置において、上記穴が、扉の開方向に向かって扉の回転中心線から離れる向きに長径方向が向かう長穴であることを特徴とする。
【０００８】
請求項３は、請求項１又は２の画像形成装置において、上記位置決め部材よりも扉の回転中心線に近づいた位置に配置されて本体フレームに固定され、扉が開状態から閉状態に向かって回転してきたときに上記支持部材の当たりを受ける受け部材を有し、
上記扉が、開状態から閉状態に向かって回転してきて支持部材が上記受け部材に当たり、かつ被位置決め部が位置決め部材に接触した後、その支持部材を押すことにより、その支持部材の、受け部材に当たった部分を支点として被位置決め部を位置決め部材に押し当てる押当部材を有することを特徴とする。
【０００９】
請求項４は、
トナー像の形成を受けてトナー像を保持しそのトナー像を記録媒体が通過する転写位置に搬送する像保持体に対向し、転写位置を通過中の記録媒体を像保持体との間に挟んで像保持体上のトナー像を記録媒体に転写する、記録媒体の通過方向に交わる幅方向に延びる回転軸を有するとともに、その回転軸と同軸上の、記録媒体の通過領域から外れた位置に被位置決め部を有する転写ロールを含む転写組立体と、
本体フレームに支持され、被位置決め部の押し当てを受けて転写ロールを位置決めする位置決め部材と、
ベース板を有し、ベース板の内側において転写ロールがベース板に沿って延びる向きに転写組立体を支持し、転写ロールの回転軸と平行に延びる回転中心線の回りに回転することにより本体フレームに対し開閉する扉とを有し、
上記扉がさらに、ベース板に固定されベース板の内面との間に間隔を空けて回転中心線と平行に延びる支持軸と、転写組立体をベース板から離れる方向に付勢する付勢部材とを有し、
転写組立体が、転写ロールを支持するとともに、その転写ロールの回転軸の延長線を遮る向きに広がり、上記支持軸が遊びをもって挿通された穴を有する側壁が形成された支持部材を有し、ベース板に対しガタを持って扉に支持されるとともに上記付勢部材により付勢されたものであって、
上記穴が、扉が開状態から閉状態に向かって回転してきて被位置決め部が位置決め部材に接触した当初において、扉の回転中心線を中心として描いた支持軸を通る円弧に交わる半径方向について、支持軸の両側に、支持軸と該穴の壁面との間に隙間を有する形状の穴であることを特徴とする転写装置である。
【００１０】
請求項５は、請求項４の転写装置において、上記穴が、扉の開方向に向かって扉の回転中心線から離れる向きに長径方向が向かう長穴であることを特徴とする。
【００１１】
請求項６は、請求項４又は５の転写装置において、上記位置決め部材よりも扉の回転中心線に近づいた位置に配置されて本体フレームに固定され、扉が開状態から閉状態に向かって回転してきたときに上記支持部材の当たりを受ける受け部材を有し、
上記扉が、開状態から閉状態に向かって回転してきて支持部材が上記受け部材に当たり、かつ被位置決め部が位置決め部材に接触した後、その支持部材を押すことにより、その支持部材の、受け部材に当たった部分を支点として被位置決め部を位置決め部材に押し当てる押当部材を有することを特徴とする。
【発明の効果】
【００１２】
請求項１の画像形成装置および請求項４の転写装置によれば、本構成を有しない場合と比べ、転写ロールを支持した扉を円滑に操作でき操作感が向上する。
【００１３】
請求項２の画像形成装置および請求項５の転写装置によれば、請求項１および請求項４の「隙間を有する形状の穴」の一例が実現できる。
【００１４】
請求項３の画像形成装置および請求項６の転写装置によれば、扉を閉める際の軽い操作力が実現できる。
【図面の簡単な説明】
【００１５】
【図１】画像形成装置の一例としてのプリンタの概略構成図である。
【図２】図１に示すプリンタの左側面の扉と本体フレーム内に装着されている中間転写ユニットを、図１と同じ方向から見て示した部分組立図である。
【図３】扉と中間転写ユニットとの接触部分の断面拡大図である。
【図４】扉のベース板に支持された状態の２次転写ユニットを、中間転写ユニット側から見て示した斜視図である。
【図５】扉のベース板の斜視図である。
【図６】２次転写ユニットを構成する支持部材と２次転写ロール組立体とのうちの支持部材のみを、ベース板上に支持させた状態を示した図である。
【図７】図６に示す状態の支持部材上に支持される２次転写ロール組立体を示した図である。
【図８】扉のベース板に支持された状態の２次転写ユニットの、一方の側壁の近傍を示した拡大斜視図である。
【図９】側壁の下端の支点部が、本体フレームに支持された受け部材に押し当てられている状態を示した斜視図である。
【図１０】２次転写ロールの一方の端部を示す拡大斜視図である。
【図１１】押当部材の周囲を示した拡大斜視図である。
【図１２】２次転写ユニットを、支持部材の背面側から見て示した部分拡大斜視図である。
【図１３】支持部材と２次転写ロール組立体のロック部材の部分を断面して示す拡大斜視図である。
【図１４】２次転写ユニットの、コイルバネの部分を断面して示す部分拡大断面図である。
【図１５】扉が開状態にあるときの、各部材の位置を示した模式図である。
【図１６】扉が開状態から閉状態まで回転する途中の、各部材の位置を示した模式図である。
【図１７】扉が開状態から閉状態まで回転する途中の、各部材の位置を示した模式図である。
【図１８】扉が開状態から閉状態まで回転する途中の、各部材の位置を示した模式図である。
【図１９】扉が開状態から閉状態まで回転する途中の、各部材の位置を示した模式図である。
【図２０】扉が開状態から閉状態まで回転する途中の、各部材の位置を示した模式図である。
【図２１】扉が開状態から閉状態まで回転する途中の、各部材の位置を示した模式図である。
【図２２】扉が閉状態にあるときの、各部材の位置を示した模式図である。
【図２３】扉の開閉時の、ベアリング部材と案内部材の移動軌跡を示した図である。
【発明を実施するための形態】
【００１６】
以下、本発明の実施形態を説明する。
【００１７】
図１は、画像形成装置の一例としてのプリンタの概略構成図である。
【００１８】
このプリンタ１００は本体フレーム１０１で囲まれており、この本体フレーム１０１内には制御部１０が備えられている。この制御部１０にはこのプリンタ１００の外部の、例えば原稿画像を読み取って画像データを生成するスキャナや画像処理用のコンピュータ等から画像データが入力される。この制御部１０では、外部から入力されてきた画像データが、後述する露光器２６における露光光変調用の画像データに変換される。
【００１９】
このプリンタ１００は、本体フレーム１０１の上部に、画像が形成された後の用紙が排出される排紙台１１が設けられている。またこのプリンタ１００の下部には、２段の給紙台１２が配置されている。これらの給紙台１２には画像形成前の用紙Ｐが積み重なった状態に収容されている。これらの給紙台１２は、用紙Ｐの補給のために、引出し自在に構成されている。
【００２０】
画像形成にあたっては、給紙台１２の一方から用紙Ｐがピックアップロール１３により送り出され、さばきロール１４により１枚ずつに分離され、その１枚の用紙Ｐが、本体フレーム１０１内の搬送路１５１上を、搬送ロール１５により矢印Ａ方向に上方に搬送され、待機ロール１６によりそれ以降の搬送のタイミングが調整されて、さらに上方に搬送される。この待機ロール１６以降の用紙の搬送については後述する。
【００２１】
このプリンタ１００の上下方向のほぼ中央には、４台の画像形成エンジン２０Ｙ，２０Ｍ，２０Ｃ，２０Ｋが配置されている。これらの画像形成エンジン２０Ｙ，２０Ｍ，２０Ｃ，２０Ｋは、それぞれ、イエロー（Ｙ）、マゼンタ（Ｍ）、シアン（Ｃ）、黒（Ｋ）色のトナーを用いてトナー像を形成する装置である。これらの４台の画像形成エンジン２０Ｙ，２０Ｍ，２０Ｃ，２０Ｋはいずれも同一の構成を有するため、ここでは画像形成エンジン２０Ｙを取り挙げてその概要を説明する。
【００２２】
この画像形成エンジン２０Ｙは、図１に矢印Ｂで示す向きに回転する感光体２１Ｙを有し、その感光体２１Ｙの周囲に、帯電器２２Ｙ、現像器２３Ｙ、およびクリーナ２４Ｙが配置されている。これら感光体２１Ｙ、帯電器２２Ｙ、現像器２３Ｙ、およびクリーナ２４Ｙは、像形成ユニット２００Ｙを構成しており、図１の紙面に垂直な回転軸方向へのスライドにより本体フレーム１０１に対し着脱自在に装着されている。
【００２３】
また、後述する中間転写ベルト３１を感光体２１Ｙとの間に挟んだ位置には、転写器２５Ｙが置かれている。
【００２４】
またこれら４台の画像形成エンジン２０Ｙ，２０Ｍ，２０Ｃ，２０Ｋの下には露光器２６が配置されている。この露光器２６には、制御部１０で生成された、露光器２６での露光光変調用の画像データが入力される。この露光器２６からは、入力された画像データに基づいて変調された光ビームからなる、各画像形成エンジン２０Ｙ，２０Ｍ，２０Ｃ，２０Ｋそれぞれに対応する露光光２６１Ｙ，２６１Ｍ，２６１Ｃ，２６１Ｋが出射される。各画像形成エンジン２０Ｙ，２０Ｍ，２０Ｃ，２０Ｋを構成する各感光体２１Ｙ，２１Ｍ，２１Ｃ，２１Ｋは、各露光光２６１Ｙ，２６１Ｍ，２６１Ｃ，２６１Ｋの照射を受ける。
【００２５】
画像形成エンジン２０Ｙの説明に戻る。
【００２６】
感光体２１Ｙはロール形状を有し、帯電により電荷を保持し露光によりその電荷を放出してその表面に静電潜像を保持する。
【００２７】
帯電器２２Ｙは、感光体２１Ｙの表面をある帯電電位に帯電する。
【００２８】
また、露光器２６からは、その入力された画像データに応じて変調された露光光２６１Ｙが出射される。感光体２１Ｙは、帯電器２２Ｙによる帯電を受けた後、露光器２６からの露光光２６１Ｙの照射を受け、感光体２１Ｙの表面に静電潜像が形成される。
【００２９】
感光体２１Ｙは、露光光２６１Ｙの照射を受けて表面に静電潜像が形成された後、現像器２３Ｙにより現像され、その感光体２１Ｙの表面にトナー像（この画像形成エンジン２０Ｙではイエロー（Ｙ）のトナーによるトナー像）が形成される。
【００３０】
現像器２３Ｙは、内部にトナーとキャリアとからなる現像剤を収容したケース２３１Ｙ内に、現像剤を攪拌する２本のオーガ２３２Ｙと、現像剤を感光体２１Ｙに対向した位置に運ぶ現像ロール２３３Ｙとを有する。感光体２１Ｙ上に形成された静電潜像の現像にあたっては、現像ロール２３３Ｙにバイアス電圧が印加され、そのバイアス電圧の作用により、現像剤中のトナーが、感光体２１Ｙ上に形成された静電潜像に従って感光体２１Ｙ上に付着し、トナー像が形成される。
【００３１】
現像器２３Ｙによる現像により感光体２１Ｙ上に形成されたトナー像は、転写器２５Ｙの作用により中間転写ベルト３１上に転写される。
【００３２】
この転写後に感光体２１Ｙ上に残存するトナーは、クリーナ２４Ｙによって感光体２１Ｙ上から取り除かれる。
【００３３】
中間転写ベルト３１は、複数のロール３２に架け回された、無端の、矢印Ｃ方向に循環移動するベルトである。この中間転写ベルト３１や複数のロール３２、各画像形成エンジン２０Ｙ，２０Ｍ，２０Ｃ，２０Ｋを構成する各転写器２５Ｙ，２５Ｍ，２５Ｃ，２５Ｋは、中間転写ユニット３０を構成していて、図１の紙面に垂直な回転軸方向へのスライドにより本体フレーム１０１に対し着脱自在に装着されている。ここで、中間転写ユニット３０を着脱する際は、この図１の左側に示されている扉６０を開き、扉６０が開いた状態で中間転写ユニット３０の着脱が行われる。中間転写ユニット３０を装着するにあたっては、扉６０が開かれ、中間転写ユニット３０の装着の後、扉６０が閉じられる。この扉６０についてはさらに後述する。
【００３４】
画像形成エンジン２０Ｙ，２０Ｍ，２０Ｃ，２０Ｋのそれぞれで形成された各色トナーによるトナー像は、順次重なるように中間転写ベルト３１上に転写され、２次転写ロール４１が配置された２次転写位置に搬送される。この２次転写ロール４１は、２次転写位置において中間転写ベルト３１に対向し２次転写位置を通過中の用紙を中間転写ベルト３１との間に挟んでその中間転写ベルト３１上のトナー像を用紙に転写する役割りを担っている。すなわち、中間転写ベルト３１上に転写されたトナー像が２次転写位置に搬送されるのと同期して、待機ロール１６にまで搬送されてきていた用紙が２次転写位置に搬送され、２次転写ロール４１の作用により、中間転写ベルト３１上のトナー像が、搬送されてきた用紙上に転写される。このトナー像の転写を受けた用紙は、さらに搬送され、定着器５０に到達する。この定着器５０は、加熱ロール５１と加圧ロール５２がケース５３に収容された構造を有し、トナー像の転写を受けた用紙は、この定着器５０の加熱ロール５１と加圧ロール５２とに挟まれて進む間に加熱および加圧を受け、これにより用紙上のトナー像がその用紙上に定着されて、定着されたトナー像からなる画像が用紙上に形成される。画像が形成された用紙は、さらに搬送されて、排紙台１１上に排出される。
【００３５】
２次転写ロール４１によりトナー像を用紙上に転写した後の中間転写ベルト３１はさらに循環移動し、その表面に残存するトナーがクリーナ４２によって中間転写ベルト３１上から取り除かれる。
【００３６】
また、中間転写ベルト３１よりも上方には、各色トナーを収容するトナー容器９１Ｙ，９１Ｍ，９１Ｃ，９１Ｋが装着されている。これらのトナー容器９１Ｙ，９１Ｍ，９１Ｃ，９１Ｋに収容されている各色トナーは、現像器２３Ｙなど、対応する画像形成エンジン２０Ｙ，２０Ｍ，２０Ｃ，２０Ｋにそれぞれ備えられた各現像器におけるトナーの消費量に応じて各現像器に補給される。
【００３７】
ここで、このプリンタ１００における中間転写ベルト３１は、トナー像の形成を受けてトナー像を保持し、そのトナー像を、記録媒体が通過する２次転写位置に搬送する役割りを担っており、本発明にいう像保持体の一例に相当する。また、２次転写位置は本発明にいう転写位置の一例であり、２次転写ロール４１は本発明にいう転写ロールの一例である。
【００３８】
扉６０は、２次転写ロール４１を含む２次転写ユニット４０（例えば図４参照；後述する）を支持している。またこの扉６０は、下端の切欠き部６１に、本体フレーム１０１に固定されたピン１０２が嵌り込んでいて、そのピン１０２を中心に回転することで矢印Ｄ−Ｅ方向に開閉する。この扉６０が矢印Ｅ方向に閉じられると、２次転写ロール４１が中間転写ベルト３１にあらかじめ定められた一定の力で押圧される。
【００３９】
図２は、図１に示すプリンタ１００の左側面の扉６０と本体フレーム１０１内に装着されている中間転写ユニット３０を、図１と同じ方向から見て示した部分組立図である。
【００４０】
また、図３は、扉６０と中間転写ユニット３０との接触部分の断面拡大図である。
【００４１】
中間転写ユニット３０は、図１を参照して説明した通り、矢印Ｃ方向に循環する中間転写ベルト３１を含むユニットであって、図１，図２の紙面に垂直な方向へのスライドにより本体フレーム１０１（図１参照）内に装着される。この図２には、この中間転写ユニット３０の上部に給電ユニット７１が示されている。この給電ユニット７１は、中間転写ユニット３０を構成する転写器２５Ｙ，２５Ｍ，２５Ｃ，２５Ｋ（図１参照）等への電源供給を担っている。この中間転写ユニット３０には、扉６０側に、その扉６０に支持されている２次転写ユニット４０（図４参照）の押し当てを受けてその２次転写ユニット４０を構成する２次転写ロール４１（図１参照）等を位置決めする位置決めプレート３３が備えられている。この位置決めプレート３３は、中間転写ベルト３１を幅方向（図１，図２の紙面に垂直な方向）両側から挟むように一対、備えられている。この図２には、図４に示す２次転写ユニット４０を、その図４に示す矢印Ｆ方向から見たときの、２次転写ユニット４０の側壁が示されている。
【００４２】
扉６０は、図１を参照して説明した通り、下端に切欠き部６１を有し、本体フレーム１０に固定されたピン１０２（図１参照）がこの切欠き部６１に嵌り込んでいて、そのピン１０２を中心に回転することで矢印Ｄ−Ｅ方向に開閉する。また、扉６０には、その扉６０を開けたときに扉６０が開き過ぎてしまわないように停止させておく支持バー６５が取り付けられている。
【００４３】
２次転写ユニット４０の構造の詳細は後述するが、この図２には、その２次転写ユニット４０を構成する支持部材４２の側壁４２１（図４参照）が示されており、その側壁４２１に長穴４２２が形成されていて、その長穴４２２に長穴規制軸６２が遊びをもって挿通されている。この長穴規制軸６２は、本発明にいう支持軸の一例に相当する。
【００４４】
また、２次転写ユニット４０の下部には、本体フレーム１０１（図１参照）に支持された受け部材７２を有する。この受け部材７２には、２次転写ユニット４０を構成する支持部材４２の側壁４２１の下端にある支点部４２３が押し当てられている。
【００４５】
また、図３に示すように、中間転写ユニット３０を構成する位置決めプレート３３は、２次転写ロール４１の回転軸と同軸上に設けられたベアリング部材４１１（図４参照）の押し当てを受ける窪み部３３１と、搬送される用紙を案内する案内部材４３の被位置決め部４３２（図４参照）が押し当てられる突出部３３２を有する。この位置決めプレート３３は、本発明にいう位置決め部材の一例に相当する。またこの扉６０には、バネ部材６３と、そのバネ部材６３で上方に付勢されている押当部材６４が備えられている。この押当部材６４は、扉６０が本体フレーム１０１に対し開いた状態（開状態）から閉状態に向かって、図１，図２に示す矢印Ｅで示す向きに回転していくと、側壁４２１（図２，図４参照）の下端の支点部４２３が受け部材７２に押し当てられ、さらに２次転写ロール４１のベアリング部材４１１が位置決めプレート３３の窪み部３３１に押し当てられる。さらにその後、押当部材６４が、支持部材４２の一部である押当受け部４２４を押し、その反力で押当部材６４が押当て受け部４２４に押されて下方に移動してバネ部材６３を押し縮める。これにより、側壁４２１の下部の支点部４２３を支点とし、押当受け部４２４を力点として、２次転写ロール４１のベアリング部材４１１が、位置決めプレート３３の窪み部３３１に、あらかじめ定められた力で強く押し当てられる。このように、軽い操作力で扉６０を閉めるだけで、テコの原理により、２次転写ロール４１のベアリング部材４１１を位置決めプレート３３の窪み部３３１に規定の強さで押し当てることができる。
【００４６】
扉６０に取り付けられた２次転写ユニット４０の上方には、本体フレーム１０１（図１参照）に支持された定着器５０が備えられている。
【００４７】
図４は、扉６０のベース板６００に支持された状態の２次転写ユニット４０を、中間転写ユニット３０（図１，図２参照）側から見て示した斜視図である。この２次転写ユニット４０は、複数の部材の組立体である。
【００４８】
図５は、扉６０のベース板６００の斜視図である。このベース板６００は扉６０の内側に備えられていて、この図５には、そのベース板６００の、２次転写ユニット４０（図４参照）が支持される側の面、すなわち中間転写ユニット３０（図１，図２参照）側を向いた面が示されている。
【００４９】
図６は、２次転写ユニット４０を構成する支持部材４２と２次転写ロール組立体４５（図７参照）とのうちの支持部材４２のみを、ベース板６００上に支持させた状態を示した図である。
【００５０】
図７は、図６に示す状態の支持部材４２上に支持される２次転写ロール組立体４５を示した図である。
【００５１】
前掲の図４は、図６に示す、ベース板６００上に支持された支持部材４２の上にさらに、図７に示す２次転写ロール組立体４５を支持させた状態を示した図である。
【００５２】
ここでは、先ず、図５に示すベース板６００について説明する。このベース板６００には、その左右に長穴規制軸固定部材６０１が固定されており、長穴規制軸固定部材６０１には、長穴規制軸６２が固定されている。この長穴規制軸６２は、長穴規制軸固定部材６０１を介して、ベース板６００の内面６００ａとの間に間隔を空けて、扉６０の回転中心線（図１，図２に示す切欠き部６１を通り、図１，図２の紙面に垂直な線；図５では左右に延びる線となる）と平行に延びる向きに、ベース板６００に固定されている。また、このベース板６００には、一対の長穴規制軸６２に挟まれた内側の左右寄りに、一対のバネ部材６０２が備えられている。このバネ部材６０２は、このベース板６００の上に支持される、２次転写ユニット４０を構成する支持部材４２（図６参照）の、ベース板６００側を向いた背面に当たり、その支持部材４２をベース板６００から離れる向きに付勢する部材である。このバネ部材６０２は、支持部材４２を付勢するためのバネ部６０２ａのほか、さらに長く延びて電気的な配線の役割も担っている。ここではその詳細は省略する。
【００５３】
またこのベース板６００の左右には、ベース板６００の内面６００ａと長穴規制軸６２とに挟まれた位置にバネ部材６３（図３を合わせて参照）が配置されており、そのバネ部材６３に隣接した位置に押当部材６４が配置されている。この押当部材６４は、中央部分のロール６４１と、そのロール６４１を間に挟む両側部分のロール６４２とで径が異なる、いずれもが独立に自由回転する２段のロールで構成されている。この押当部材６４を構成する中央部分のロール６４１は、ベース板６００に設けられたスリット（図示せず）に入り込んでベース板６００とは干渉しないように構成されている。その中央部分のロール６４１を挟む両側部分のロール６４２はその周面がベース板６００に接触し、この押当部材６４がバネ部材６３を押して移動する際、ベース板６００上を転がるようになっている。中央部分のロール６４１は、２次転写ユニット４０を構成する支持部材４２の押当受け部４２４（図３参照）に当たり、バネ部材６３の付勢力によりその押当受け部４２４を押し、その押当受け部４２４上を転がるようになっている。
【００５４】
さらに、このベース板６００には、その押当受け部４２４を押当部６４との間に挟む位置に、舌片６００ｂ（図３を合わせて参照）が設けられている。
【００５５】
さらにこのベース板６００には、ここを通過する用紙の有無を検出する用紙センサ６１０が固定されている。
【００５６】
次に図７に示す２次転写ロール組立体４５について説明する。
【００５７】
この２次転写ロール組立体４５は、２次転写ロール４１と案内部材４３を有する。
【００５８】
２次転写ロール４１は、図１を参照して説明した通り、中間転写ベルト３１上のトナー像を用紙上に転写する役割りを担っている。また、案内部材４３は、２次転写ロール４１と定着器５０（図１，図２参照）との間に配置され、トナー像の転写を受けた用紙を案内リブ４３１で定着器５０に向けて案内する部材である。２次転写ロール４１は、用紙が通過する領域から外れた両側にその回転軸４１２に同軸に支持されたベアリング部材４１１を有する。このベアリング部材４１１は、図３を参照して説明した通り、中間転写ユニット３０の位置決めプレート３３の窪み部３３１に入り込んでその窪み部３３１に押し当てられる。すると、２次転写ロール４１の、用紙を挟む部分が中間転写ベルト３１に押し当てられる。また、案内部材４３は、用紙が通過する領域から外れた両側に被位置決め部４３２を有する。この被位置決め部４３２は、これも図３を参照して説明した通り、中間転写ユニット３０の位置決めプレート３３の突出部３３２に押し当てられ、これにより案内部材４３が位置決めされる。
【００５９】
この２次転写ロール組立体４５は、図６に示す支持部材４２上に、図４に示すように支持される。
【００６０】
ここで、２次転写ロール４１は、消耗品であり、時々交換する必要がある。本実施形態では、２次転写ロール４１を備えた２次転写ロール組立体４５を支持部材４２から切り離して別部材としたことにより、交換部分が少なくて済み、交換部品のコスト低減の点で有利である。
【００６１】
支持部材４２には、図６に示すように、２次転写ロール４１が配置される窪み４２５が形成され、その両端に、２次転写ロール４１のベアリング部材４１１を支持するベアリング支持部４２６が形成されている。２次転写ロール４１のベアリング部材４１１がベアリング支持部４２６に支持されることにより、ベース板６００は、支持部材４２と２次転写ロール組立体４５とからなる２次転写ユニット４０を、２次転写ロール４１がベース板６００に沿って延びる向き、かつ２次転写ロール４１の回転軸が扉６０の回転中心線と平行に延びる向きに支持する。
【００６２】
また、この支持部材４２には、２次転写ロール４１を回転軸方向両側から挟む位置に、用紙が通過する通過方向に交わる幅方向に引いた線を遮る向き、すなわち２次転写ロール４１の回転軸の延長線を遮る向きに広がる側壁４２１を有する。この側壁４２１は長穴４２２を有し、その長穴４２２には、ベース板６００に固定された長穴規制軸６２（図５参照）が遊びを持って挿通されている。
【００６３】
この支持部材４２は、その支持部材４２の押当受け部４２４（図３参照）が押当部材６４とベース板６００の舌片６００ｂとの間に入り込み、かつ長穴４２２に長穴規制軸６２が挿通されることにより、ベース板６００にガタを持った状態で支持されている。このガタを持ってベース板６００に支持されている支持部材４２は、その背面が、バネ部材６０２で、ベース板６００から離れる向きに押された状態にある。
【００６４】
さらに、この支持部材４２には、この支持部材４２により支持される２次転写ロール組立体４５をその背面から押圧するためのコイルバネ４２７が支持されており、さらに、２次転写ロール組立体４５がこの支持部材４２から安易に外れてしまわないようにロックしておくためのロック部材４２８と、押下げにより、そのロック部材４２８による２次転写ロール組立体４５のロックを外すロック解除部材４２９を備えている。
【００６５】
この２次転写ユニット４０の特徴の１つは、長穴４２２の形状等にあるが、この長穴４２２についての詳細は後述する。
【００６６】
図８は、扉６０のベース板６００に支持された状態の２次転写ユニット４０の、一方の側壁４２１の近傍を示した拡大斜視図である。
【００６７】
この図８には、支持部材４２の側壁４２１に設けられた長穴４２２とその長穴４２２に挿通された状態のベース板６００に固定された長穴規制軸６２が示されている。この図８には扉６０（図１，図２参照）が閉状態にあるときのレイアウトが示されており、この閉状態では、長穴規制軸６２は長穴４２２の壁面とは非接触の状態にある。
【００６８】
この図８に示す一点鎖線Ｌ１は、長穴規制軸６２の中心を通り、扉６０（図１，図２参照）の回転中心線を中心とした円弧を示している。また一点鎖線Ｌ２は、長穴規制軸６２の中心を通る、一点鎖線Ｌ１の接線を示している。さらに一点鎖線Ｌ３は、長穴４２２の長径方向に引いた線である。また、矢印Ｄは、図１，図２にも示す通り、扉６０の開方向を示している。ここで、これらの一点鎖線Ｌ１〜Ｌ３から分かる通り、この長穴４２２は、扉６０の開方向に向かって扉６０の回転中心線から離れる向きに長径方向が向かう長穴である。
【００６９】
尚、本実施形態では、この長穴４２２は、長径方向と平行に平面的に広がる壁部分を有する長穴であるが、本発明にいう長穴は、全てが曲面で囲まれた長穴、例えば楕円形の長穴等を含む概念である。この長穴４２２の作用については後述する。
【００７０】
図９は、側壁４２１の下端の支点部４２３が、本体フレーム１０１（図１参照）に支持された、受け部材７２に押し当てられている状態を示した斜視図である。
【００７１】
上述の通り、支持部材４２は、扉６０を閉じていくと、この受け部材７２に押し当てられた支点部４２３を支点として回転し、テコの原理により、２次転写ロール４１のベアリング部材４１１が、中間転写ユニット３０の位置決めプレート３３の窪み部３３１（図３参照）に強く押し当てられる。これにより２次転写ロール４１の位置決めが行なわれ、その２次転写ロール４１が中間転写ベルト３１を規定の押圧力で押圧した状態となる。
【００７２】
図１０は、２次転写ロール４１の一方の端部を示す拡大斜視図である。
【００７３】
ここには２次転写ロール４１の回転軸に支持されたベアリング部材４１１が示されており、このベアリング部材４１１は、支持部材４２のベアリング支持部４２６に支持されている。このベアリング部材４１１は、扉６０が閉じられると、中間転写ユニット３０の位置決めプレート３３の窪み部３３１（図３参照）に押し当てられ、支持部材４２のベアリング支持部４２６と位置決めプレート３３の窪み部３３１とに挟まれた状態に支持される。
【００７４】
図１１は、押当部材６４の周囲を示した拡大斜視図である。
【００７５】
この押当部材６４は、図５を参照して説明した通り、互いに独立に自由回転する２段のロール６４１，６４２からなり、バネ部材６３（図３を合わせて参照）により付勢される部材である。２段のロール６４１，６４２のうちの一方のロール６４１は、もう一方のロール６４２よりも太径のロールである。この太径のロール６４１は、ベース板６００に設けられたスリット６００ｃに入り込んでいて、ベース板６００とは干渉しないように構成されるとともに、支持部材４２の押当受け部４２４に接触している。また、もう一方の細径のロール６４２は、ベース板６００に接し、押当部材４２４からは離れている。前述の通り、扉６０が本体フレーム１０１に対し開いた開状態から、図１，図２に示す閉状態に向かって矢印Ｅの向きに回転していくと、側壁４２１の下端の支点部４２３が、図９に示すように受け部材７２に押し当てられ（図２を合わせて参照）、さらに２次転写ロール４１のベアリング部材４１１が位置決めプレート３３の窪み部３３１に押し当てられると（図３参照）、この図１１に示す押当部材６４が、支持部材４２の一部である押当受け部４２４から力を受け、その押当受け部４２４とベース板６００とに挟まれて下方（図１１に矢印Ｇで示す向き）に移動する。このとき、押当部材６４を構成する２段のロール６４１，６４２のうちの一方のロール６４１は押当受け部４２４に押されて回転し、もう一方のロール６４２は、ベース板６００の上を、一方のロール６４１とは逆向きに回転しながら、矢印Ｇの向きに移動する。押当部材６４が矢印Ｇの向きに移動すると、その押当部材６４に隣接して配置されているバネ部材６３が縮み、そのバネ部材６３の付勢力が強まって押当部材６４が押当受け部４２４を矢印Ｅの向き（すなわち、図１，図２に示す扉６０の閉方向の向き）に強く押すことになる。このようにして、受け部材７２に押し当てられている、支持部材４２の側壁４２１の下部の支点部４２３を支点とし、押当部材６４により押されている、支持部材４２の押当受け部４２４を力点とし、中間転写ユニット３０の位置決めプレート３３の窪み部３３１に押し当てられている２次転写ロール４１のベアリング部材４１１を作用点として、そのベアリング部材４１１があらかじめ決められた押し当て力で窪み部３３１に強く押し当てられる。
【００７６】
図１２は、２次転写ユニット４０を、支持部材４２の背面側から見て示した部分拡大斜視図である。
【００７７】
この図１２には、支持部材４２にロックされた２次転写ロール組立体４５のロックを外すロック解除部材４２９（図６を合わせて参照）が示されている。
【００７８】
図１３は、支持部材４２と２次転写ロール組立体４５のロック部材４２８，４３３の部分を断面して示す拡大斜視図である。
【００７９】
この図１３には、互いに係止した状態の、支持部材４２側のロック部材４２８（図６を合わせて参照）と２次転写ロール組立体４５側のロック部材４３３（図１２を合わせて参照）が示されている。
【００８０】
図６，図１２に示すロック解除部材４２９を押し下げると、それらのロック部材４２８，４３３どうしの係合が外れる状態となり、２次転写ロール組立体４５を支持部材４２から取り外すことができる。
【００８１】
前述した通り、２次転写ロール組立体４５を支持部材４２とは別部品として支持部材４２に支持させる構成としたことにより、２次転写ロール４１の寿命の際に交換する必要のある部品は２次転写ロール組立体のみで済み、コスト的に有利である。また２次転写ロール組立体４５を別部品としたことは、図１４を参照して説明するように、案内部材４３の正確な位置決めにも役立っている。
【００８２】
図１３に示すように、支持部材４２の背面には、電気的な配線を担うプレート４９１が固定されている。図５に示す、支持部材４２の背面を押すバネ部材６０２は、このプレート４９１に接触して、このプレート４９１を押している。これにより、プレート４９１と、バネ部材６０２との間の電気的な接触もなされている。
【００８３】
図１４は、２次転写ユニット４０の、コイルバネ４２７の部分を断面して示す部分拡大断面斜視図である。
【００８４】
２次転写ロール組立体４５は、このコイルバネ４２７（図６を合わせて参照）により、支持部材４２から離れる向きに付勢されている。このコイルバネ４２７による付勢と、案内部材４３の被位置決め部４３２が中間転写ユニット３０の位置決めプレート３３の突出部３３２（図２，図３参照）に押し当てられることにより、案内部材４３が、用紙の、定着器５０に向けた案内に適した位置に正確に位置決めされる。
【００８５】
図１５〜図２２は、扉６０が開状態から閉状態まで回転したときの、各部材の動きを示した模式図である。これらの図１５〜図２２のうちの最初の図である図１５は扉６０が開状態にあるときのもの、最後の図である図２２は扉６０が閉状態にあるときのものである。
【００８６】
ここでは先ず、扉６０が閉状態にあるときの図である図２２を参照しながら、図１５〜図２２に線画で示す各部材と、これまで説明してきた図１〜図１４に示す各部材との対応関係を説明する。
【００８７】
図２２の右側には、中間転写ユニット３０を構成する２本のロール３２と、それらのロール３２に架け回された中間転写ベルト３１が示されている。また、この中間転写ベルト３１に隣接した位置に、中間転写ユニット３０を構成する位置決めプレート３３（図２，図３参照）の窪み部３３１が示されており、その窪み部３３１の斜め左上には、その位置決めプレート３３の、突出部３３２が模式的に示されている。
【００８８】
窪み部３３１には、２次転写ロール４１のベアリング部材４１１が入り込んでいてその窪み部３３１を規定の力で押している。ここには、そのベアリング部材４１１を窪み部３３１との間に挟む、支持部材４２のベアリング支持部４２６（図１０参照）と、ベアリング部材４１１と同軸であって中間転写ベルト３１を押圧している状態の２次転写ロール４１も示されている。また、突出部３３２には、案内部材４３の被位置決め部４３２（図４参照）が突き当てられている。
【００８９】
また、この図２２の、２次転写ロール４１の下には、本体フレーム１０１（図１参照）に固定された受け部材７２（図２，図９参照）が示されており、その受け部材７２には支持部材４２の側壁４２１の下部にある支点部４２３（図２，図９参照）が押し当てられている。
【００９０】
また、この側壁４２１に設けられた長穴４２２には、長穴規制軸６２が遊びを持って入り込んでいる（図８参照）。この閉状態では、長穴規制軸６２は、長穴４２２の壁面から離れた状態にある。
【００９１】
また、この図２２の左側には、扉６０の内側に設けられたベース板６００と、そのベース板６００に取り付けられたバネ部材６３と、そのバネ部材６３により付勢される押当部材６４が示されている。また、ここには、ベース板６００の一部である舌片６００ｂと、その舌片６００ｂと押当部材６４との間に入り込んだ、支持部材４２の押当受け部４２４（図１１参照）が示されている。前述した通り、押当部材６４を構成する２段のロール６４１，６４２のうちの一方のロール６４１は押当受け部４２４に接し、もう一方のロール６４２は、ベース板６００に接している。
【００９２】
さらにここには、ベース板６００に支持されて支持部材４２の背面を押すバネ部材６０２（図５参照）、および、支持部材４２に支持されて２次転写ロール組立体４５を押すコイルバネ４２７（図６，図１４参照）も示されている。さらに、この図の上方には、定着器５０のケース５３の外形が示されている。
【００９３】
この図２２に示す矢印ａは、ベアリング部材４１１が窪み部３３１から受ける力の方向と強さを示した矢印であり、矢印ｂは、押当部材６４がバネ部材６３から受ける力の方向と強さを示した矢印であり、矢印ｃは、コイルバネ４２７が２次転写ロール組立体４５の背面を押す力の方向と強さを示した矢印である。
【００９４】
図１５に示す開状態から図２２に示す閉状態にまで各部材の動きを順次に追っていく。
【００９５】
図１５に示す開状態から扉６０が少し閉じられ、図１６に示す状態になると、案内部材４３が、直ぐ上に配置されている定着器５０のケース５３に近接した点を通る。ただし、案内部材４３は、定着器５０のケース５３に接することなく、最近接点を通り過ぎる（図１７参照）。さらに、扉６０を閉じていくに従って、各部材は、図１８，図１９に示す通りに移動する。図１９に示す段階では、支点部４２３は未だ受け部材７２から離れた位置にある。閉状態を示す図２２からこの図１９に示す段階までは、長穴規制軸６２は、長穴４２２の壁面の、最も高い位置に接触している。
【００９６】
図２０は、図１９に示す状態から扉６０がさらに閉じる方向に回転し、支点部４２３が受け部材７２に押し当てられた状態が示されている。ベアリング部材４１１は窪み部３３１から未だ離れた状態にある。支点部４２３が受け部材７２に押し当てられると、この図２０に示すように、長穴４２２と長穴規制軸６２との位置関係が変化する。すなわち、図１９の段階では、長穴規制軸６２は、長穴４２２の壁の最も高い位置に接触していたが、支点部４２３が受け部材７２に押し当てられると、この図２０に示すように、長穴規制軸６２は、長穴４２２に対し、扉６０の回転中心線を中心として描いた長穴規制軸６２を通る円弧（一点鎖線Ｌ１）に交わる半径方向について、長穴規制軸６２の両側に、長穴規制軸６２と長穴４２２の壁面との間に隙間ｄ１，ｄ２を有する位置に移動する。本実施形態では、長穴４２２が扉６０の開方向に向かって扉６０の回転中心線から離れる向きに長径方向が向かう長穴であることによって、この関係を達成している。
【００９７】
この長穴規制軸６２と長穴４２２の位置関係は、ベアリング部材４１１が窪み部３３１への接触を開始する次の段階（図２１）でも維持される。したがって、窪み部３３１とベアリング部材４１１との間に多少の公差があっても長穴規制軸６２は長穴４２２の中で上下のいずれの方向にも移動することができ、ベアリング部材４１１は公差を吸収しながら、窪み部３３１に導き入れられることになる。このため、前掲の特許文献２，３で示される構造で課題の１つとなっていた、扉を閉じるときにベアリング部材が窪み部の入口の縁に突き当たることによって生じる違和感が解消され、操作力の滑らかな変化による滑らかな操作感を得ることができる。
【００９８】
次に、図１５〜図２２を逆順に辿り、図２２に示す閉状態から図１５に示す開状態に向かって扉を開いていくときの各部材の動きを説明する。
【００９９】
図２２に示す閉状態にあるときは、長穴４２２に挿通された長穴規制軸６２は、その長穴４２２の壁面から離れた状態にある。
【０１００】
図２２の閉状態から扉を開いていくと、図２１に示すように、長穴規制軸６２は、長穴４２２の壁面の最も高い位置よりも下がった位置に接触する。扉６０が閉状態に向かってさらに回転して、図２０に示す、支点部４２３が受け部材７２に押し当てられた状態から、図１９に示す、支点部４２３が受け部材７２から離れた状態になると、長穴規制軸６２は、長穴４２２の壁の最も高い位置に接触した状態となる。前述の通り、長穴規制軸６２はベース板６００に固定されており（図５参照）、一方、支持部材４２と２次転写ロール組立体４５とからなる２次転写ユニット４０はベース板６００にガタをもって支持されている。したがって、図１９に示すように、長穴規制軸６２が長穴４２２の壁面の最も高い位置に当たった状態になるということは、長穴規制軸６２が持ち上がった訳ではなく、長穴４２２が形成された２次転写ユニット４０が重力で下に下がったことを意味している。案内部材４３も２次転写ユニット４０の一部を成し、したがって下に下がった状態となる。このように、案内部材４３が下に下がることにより、その案内部材４３は、図１６に示すように、定着器５０のケース５３に干渉することなく、定着器５０の下を通り過ぎることができる。
【０１０１】
図２３は、扉６０の開閉時の、ベアリング部材４１１と案内部材４３の移動軌跡を示した図である。
【０１０２】
この図２３には、長穴の長径が扉の開閉の軌跡（扉６０の回転中心線を中心に描いた円弧）と同一方向に延びている、比較例としての長穴４２２´も示されている。この図２３に一点鎖線で示す軌跡Ｔ１は、本実施形態における軌跡であり、二点鎖線で示す軌跡Ｔ２は、本実施形態における長穴４２２に代えて比較例としての長穴４２２´が設けられていて長穴規制軸６２がその長穴４２２´に挿通されているとした場合の軌跡である。
【０１０３】
本実施形態の場合、比較例と比べ距離ｄ３に相当する分だけ２次転写ユニット４０が下に下がる余地がり、一点鎖線で示す軌跡Ｔ１を得ることができる。これに対し比較例の場合、二点鎖線の軌跡Ｔ２を辿る結果、閉状態にある扉を開いていくと、このままでは案内部材４３が定着器５０のケース５３に干渉してしまって扉を開くことができないことになる。これを解消するには、定着器５０をさらに上に取り付けるといったレイアウト変更などが必要となり、装置の大型化を招くおそれがある。
【０１０４】
また、この二点鎖線の軌跡Ｔ２によれば、ベアリング部材４１１は、窪み部３３１の入口の縁に干渉する軌跡を描いている。したがって、開状態にある扉６０を閉じていったとき、ベアリング部材４１１は、窪み部３３１に円滑には入らずに入口の縁に一旦ぶつかり、部材の多少の弾性変形等によりその縁を乗り越えてから窪み部３１１に入る。このため、扉６０を閉じる操作をしているユーザには、閉じている途中で何かがぶつかったような違和感を手に感じることになり、滑らかな操作感を得ることが難しい。
【０１０５】
このように本実施形態では、扉６０の開方向に向かって扉６０の回転中心線から離れる向きに長径方向が向かう長穴を形成してその長穴４２２に長穴規制軸６２を挿通させている。これにより、本実施形態における長穴４２２と長穴４２２に挿通された長穴規制軸６２は、扉の開閉時に、案内部材４３を、前記定着器５０との接触を避けた移動軌跡上を移動させ、さらに、ベアリング部材４１１を、窪み部３３１の縁との干渉を避けた移動軌跡上を移動させる機構を成していて、扉開閉の円滑な操作と装置の小型化に寄与している。
【符号の説明】
【０１０６】
２０Ｙ，２０Ｍ，２０Ｃ，２０Ｋ        画像形成エンジン
３０        中間転写ユニット
３１        中間転写ベルト
３２        複数のロール
３３        位置決めプレート
４０        ２次転写ユニット
４１        ２次転写ロール
４２        支持部材
４５        ２次転写ロール組立体
５０        定着器
５３        ケース
６０        扉
６１        切欠き部
６２        長穴規制軸
６３，６０２        バネ部材
６４        押当部材
７２        受け部材
１００        プリンタ
１０１        本体フレーム
１０２        ピン
３３１        窪み部
３３２        突出部
４１１        ベアリング部材
４２１        側壁
４２２，４２２´        長穴
４２３        支点部
４２４        押当受け部
４２５        窪み
４２６        ベアリング支持部
４２７        コイルバネ
４２８，４３３        ロック部材
４２９        ロック解除部材
４３２        被位置決め部
４９１        プレート
６００        ベース板
６０１        長穴規制軸固定部材
６００ａ        内面
６００ｂ        舌片
６００ｃ        スリット
６１０        用紙センサ
６４１，６４２        ロール 
【図１】
0005821465.tif 000002
【図２】
0005821465.tif 000003
【図３】
0005821465.tif 000004
【図４】
0005821465.tif 000005
【図５】
0005821465.tif 000006
【図６】
0005821465.tif 000007
【図７】
0005821465.tif 000008
【図８】
0005821465.tif 000009
【図９】
0005821465.tif 000010
【図１０】
0005821465.tif 000011
【図１１】
0005821465.tif 000012
【図１２】
0005821465.tif 000013
【図１３】
0005821465.tif 000014
【図１４】
0005821465.tif 000015
【図１５】
0005821465.tif 000016
【図１６】
0005821465.tif 000017
【図１７】
0005821465.tif 000018
【図１８】
0005821465.tif 000019
【図１９】
0005821465.tif 000020
【図２０】
0005821465.tif 000021
【図２１】
0005821465.tif 000022
【図２２】
0005821465.tif 000023
【図２３】
0005821465.tif 000024